(57)【特許請求の範囲】
【請求項１】
透明体によって形成されてなり指先が密着される検出面と同検出面に対し所定角度だけ傾けて配設され同検出面からの反射光を通過させる傾斜面とを有するプリズムと、
前記プリズム内に前記検出面にて反射する参照光を照射する照射手段と、
前記プリズムの傾斜面を通過した前記検出面からの反射光が形成する像を読み取る受像手段と、
前記プリズムの傾斜面と受像手段との間に介装されて前記プリズムの傾斜面を通過した前記検出面からの反射光の一部を予め決めた固有のパターンで遮断する遮断手段とを備えた指紋入力装置において、
前記遮断手段を、前記プリズムの傾斜面を通過した前記検出面からの反射光を前記受像手段側にそれぞれ通過させる複数の光路を設けた板状部材により構成し、かつ
前記板状部材の複数の光路をそれぞれ同板状部材の厚み方向に対し傾斜させて形成したことを特徴とする指紋入力装置。
【請求項２】
透明体によって形成されてなり指先が密着される検出面と同検出面に対し所定角度だけ傾けて配設され同検出面からの反射光を通過させる傾斜面とを有するプリズムと、
前記プリズム内に前記検出面にて反射する参照光を照射する照射手段と、
前記プリズムの傾斜面を通過した前記検出面からの反射光が形成する像を読み取る受像手段と、
前記プリズムの傾斜面と受像手段との間に介装されて前記プリズムの傾斜面を通過した前記検出面からの反射光の一部を予め決めた固有のパターンで遮断する遮断手段とを備えた指紋入力装置を用いた個人識別システムにおいて、
個人情報としての指紋を表すデータを前記指紋入力装置の遮断手段が遮断するパターンと対応づけて記憶した記憶手段と、
前記記憶手段に記憶されているデータのうちから前記指紋入力装置の受像手段により読み取られた像に含まれていて前記遮断手段により遮断されたパターンに対応したデータを読み出す読出手段と、
前記読出手段により読み出されたデータと前記受像手段により読み取られた像を表すデータとを照合する照合手段とを設けたことを特徴とする個人識別システム。
【発明の詳細な説明】
【０００１】
【発明の属する技術分野】
本発明は、個人の指紋を入力するための指紋入力装置、及び同装置を用いた個人識別システムに関する。
【０００２】
【従来の技術】
従来から、この種の指紋入力装置としては、例えば米国特許５，７９６，８５８号に示されているように、透明体によって形成されてなり指先が密着される検出面と同検出面に対し所定角度だけ傾けて配設され同検出面からの反射光を通過させる傾斜面とを有するプリズムと、プリズム内に検出面にて反射する参照光を照射する照射手段と、プリズムの傾斜面を通過した検出面からの反射光が形成する像を読み取る受像手段とを備え、検出面に指先を密着させた状態で照射手段によりプリズム内に参照光を照射して、同検出面からの反射光に現れる指先の指紋の像を受像手段により読み取るようにしたものがあった。
【０００３】
上記指紋入力装置は、例えば個人識別システムなどに用いられていた。この場合、個人識別システムは、個人情報としての指紋を表すデータを予め記憶しておき、同記憶されている指紋を表すデータと前記受像手段により読み取られた像を表すデータとを照合することにより個人を識別するようにしていた。特に、前記指紋を表すデータを例えばＩＤ番号などの予め決めた個人毎の固有のデータと対応づけて記憶しておくとともに、指紋入力装置により前記像を表すデータが入力されるとき前記固有のデータも別途入力されるようにしておき、前記像を表すデータを、前記記憶しているデータのうちの前記別途入力された固有のデータに対応したデータのみと照合するようにして、同照合に要する時間を短縮化するようにしたものもあった。
【０００４】
【発明が解決しようとする課題】
しかし、上記従来の指紋入力装置においては、受像手段により読み取られる像が、検出面に密着された指先の指紋のみを表していた。したがって、例えば上記固有のデータによって照合する指紋データを予め特定する個人識別システムのように、個人の指紋を表す像以外に個人毎の固有のデータを入力するシステムに対し同装置を適用した場合には、同固有のデータを別途入力する必要が生じて使い勝手が悪くなるという問題があった。
【０００５】
【発明の概要】
本発明は上記問題に対処するためになされたものであり、その目的は、個人の指紋、及び個人毎の予め定めた固有のデータを同時に入力できるようにした使い勝手のよい指紋入力装置、及び同装置を用いた照合時間が短くかつ使い勝手のよい個人識別システムを提供することにある。
【０００６】
上記目的を達成するために、本発明の特徴は、透明体によって形成されてなり指先が密着される検出面と同検出面に対し所定角度だけ傾けて配設され同検出面からの反射光を通過させる傾斜面とを有するプリズムと、プリズム内に検出面にて反射する参照光を照射する照射手段と、プリズムの傾斜面を通過した検出面からの反射光が形成する像を読み取る受像手段と、プリズムの傾斜面と受像手段との間に介装されてプリズムの傾斜面を通過した検出面からの反射光の一部を予め決めた固有のパターンで遮断する遮断手段とを備えた指紋入力装置において、遮断手段を、プリズムの傾斜面を通過した検出面からの反射光を受像手段側にそれぞれ通過させる複数の光路を設けた板状部材により構成し、かつ板状部材の複数の光路をそれぞれ同板状部材の厚み方向に対し傾斜させて形成したことにある。
【０００７】
これによれば、プリズムの検出面からの反射光の一部が、遮断手段によって予め決めた固有のパターンで遮断された上で受像手段に到達するようになる。したがって、受像手段が読み取る像に、検出面に密着された指先の指紋と固有のパターンとが共に現れるようになるため、個人の指紋及び個人毎の固有のデータが同時に入力されることになり、この指紋入力装置の使い勝手が向上する。
【０００８】
また、本発明の前記特徴によれば、遮断手段を、プリズムの傾斜面を通過した検出面からの反射光を受像手段側にそれぞれ通過させる複数の光路を設けた板状部材により構成したので、遮断手段が立体的な構成となって光路を精度よく再現することが困難となるため、同遮断手段の不正な複製が困難となり、この指紋入力装置のセキュリティ性が向上する。
【０００９】
さらに、本発明の前記特徴によれば、板状部材の複数の光路をそれぞれ同板状部材の厚み方向に対し傾斜させて形成したので、板状部材の厚みや光路の傾斜の角度を調整することにより受像手段に到達する光をプリズムの検出面からの反射光のみに制限することが可能となるため、プリズムから受像手段への光路を短く設定した上で受像手段の読み取り精度を確保できるようになる。したがって、この指紋入力装置の構成を小型化することが可能となる。
【００１０】
また、本発明の他の特徴は、透明体によって形成されてなり指先が密着される検出面と同検出面に対し所定角度だけ傾けて配設され同検出面からの反射光を通過させる傾斜面とを有するプリズムと、プリズム内に検出面にて反射する参照光を照射する照射手段と、プリズムの傾斜面を通過した検出面からの反射光が形成する像を読み取る受像手段と、プリズムの傾斜面と受像手段との間に介装されてプリズムの傾斜面を通過した検出面からの反射光の一部を予め決めた固有のパターンで遮断する遮断手段とを備えた指紋入力装置を用いた個人識別システムにおいて、個人情報としての指紋を表すデータを指紋入力装置の遮断手段が遮断するパターンと対応づけて記憶した記憶手段と、記憶手段に記憶されているデータのうちから指紋入力装置の受像手段により読み取られた像に含まれていて遮断手段により遮断されたパターンに対応したデータを読み出す読出手段と、読出手段により読み出されたデータと受像手段により読み取られた像を表すデータとを照合する照合手段とを設けたことにある。
【００１１】
これによれば、読み出し手段が、記憶手段に記憶されているデータのうちから指紋入力装置の受像手段により読み取られた像に含まれていて遮断手段により遮断されたパターンに対応したデータを読み出し、照合手段が、同読出手段により読み出されたデータと受像手段により読み取られた像を表すデータとを照合する。したがって、記憶手段に記憶されているデータのうちから照合手段により照合されるデータが遮断手段が遮断したパターンに基づき予め特定されることになるため、同照合に要する時間が短縮化される。さらに、この場合にも、指紋入力装置においては個人の指紋と前記パターンとが同時に入力されるため、この個人識別システムの使い勝手が高く保たれる。
【００１３】
【発明の実施の形態】
ａ．第１の実施形態
以下、本発明の第１の実施形態を図面を用いて説明する。図１は、同実施形態に係る指紋入力装置を概略的に示したものである。この指紋入力装置は、個人毎に携帯される板状（厚さ５０μｍ〜２ｍｍ程度）の指紋入力カード１０と、同カード１０が装着される指紋検出器２０とにより構成されている。
【００１４】
指紋入力カード１０は、透明体によって板状に形成された多段プリズム１１と、遮断手段として同プリズム１１の下方に配設された板状のシャドウマスク１２とを備えている。多段プリズム１１は、図２にて詳細に示すように、上側にて指先Ｆが密着される検出面１１ａを形成しているとともに、下側にて複数の傾斜面１１ｂを形成している。各傾斜面１１ｂは、検出面１１ａに対しそれぞれ同一方向に所定角度だけ傾けて並設されており、検出面１１ａからの反射光を通過させるようになっている。
【００１５】
シャドウマスク１２は、複数の貫通孔１２ａを有している。各貫通孔１２ａは、それぞれ多段プリズム１１の各傾斜面１１ｂと平行な線状に形成された光路であり、同傾斜面１１ｂと垂直な方向にシャドウマスク１２を貫通して同傾斜面１１ｂを通過してきた検出面１１ａからの反射光を下側に通過させる。シャドウマスク１２は、上記検出面１１ａからの反射光を各貫通孔１２ａのみにて通過させて、同反射光の残りの部分を遮断する。この場合、シャドウマスク１２は、貫通孔１２ａの配列によって、上記反射光を指紋入力カード１０毎に予め決めたＩＤ番号を表す固有のパターンで遮断するようになっている。また、各貫通孔１２ａは、シャドウマスク１２をその厚み方向に対して傾斜させた方向に貫通しているが、シャドウマスク１２は、同各貫通孔１２ａの上端と下端とが同厚み方向に重ならない程度の厚みに設定されており、同貫通孔１２ａを通過する光が多段プリズム１１の検出面１１ａからの反射光のみに制限されるようになっている。
【００１６】
ここで、多段プリズム１１及びシャドウマスク１２の製造方法について説明しておく。多段プリズム１１を製造する場合、まず、シリコンウェハによって鋳型を製造する。この場合、まず、オリエンテーションフラットが（１００）方向であるシリコンウェハの表面を（１１０）方向に対し傾けて形成し、同表面上に、オリエンテーションフラットに対し垂直なスリット状のマスクパターンを形成する。このマスクパターンは、例えばフォトレジストや、予めパターニングした窒化シリコン又はスパッタした銅などの金属マスクなどにより形成するとよい。そして、このマスクパターンを形成したシリコンウェハを、例えば水酸化カリウムや水酸化テトラメチルアンモニウムなどのシリコンを結晶方位毎に異なる速度で溶解する水溶液中におくことにより、同シリコンウェハの表面上に互いに平行な複数の溝が形成されて、多段プリズム１１の鋳型が生成される。この鋳型に液状の透明体原料（例えばアクリル、ガラスなど）を流し込んで冷却し凝固させることにより、多段プリズム１１が生成される。
【００１７】
シャドウマスク１２を製造する場合、まず、オリエンテーションフラットが（１１２）であるシリコンウェハの表面を（１１０）方向に対し傾けて形成し、上記多段プリズム１１の鋳型における場合と同様に、同表面上にオリエンテーションフラットに対し垂直なスリット状のマスクパターンを形成した上で、このシリコンウェハを水酸化カリウムや水酸化テトラメチルアンモニウムなどの水溶液中において、同シリコンウェハの表面上に互いに平行な複数の溝を形成する。このシリコンウェハをダイサなどで切り出すことにより、シャドウマスク１２が製造される。なお、多段プリズム１１及びシャドウマスク１２は、例えば放電加工、ドライエッチング、ウェットエッチングなどの他の微細加工技術により作成してもよい。また、上記微細加工技術により作成した鋳型を用いて例えばモールディングなどにより作成してもよい。
【００１８】
指紋入力カード１０は、スイッチ１３も備えている（図３参照）。スイッチ１３は、多段プリズム１１の検出面１１ａに対する指先Ｆの接触を静電容量の変化によって検出する。なお、このスイッチ１３は、上記指先Ｆの接触を光電的に検出するスイッチや、指先Ｆが検出面１１ａに密着される際に同指先Ｆによって押されるようにした押し釦式のスイッチや、例えばフォトカプラなどの光量により上記接触を検出するスイッチなどにより代用してもよい。
【００１９】
指紋検出器２０は、照射手段としての照明装置２１、レンズ２２、及び受像手段としての受像装置２３を備えている。照明装置２１は、例えば発光ダイオードなどにより構成されて、指紋入力カード１０が指紋検出器２０に装着された状態で、スイッチ１３による指先Ｆの接触の検出に応じ多段プリズム１１内に参照光を照射する。レンズ２２は、多段プリズム１１の傾斜面１１ｂ及びシャドウマスク１２を通過した検出面１１ａからの反射光を受像装置２３に結像するものである。受像装置２３は、例えば電荷結合素子や相補型ＭＯＳなどの２次元の明暗情報を採取可能なデバイスにより構成されて、上記レンズ２２により結像された像を読み取るものである。
【００２０】
指紋検出器２０は、ＣＰＵ２４及び出力部２５も備えている。ＣＰＵ２４は、上記受像装置２３により読み取られた像をデータに変換するものである。この場合、同変換されるデータは、像自体を表す画像データであってもよいし、像に含まれる指紋の特徴点（例えば、端点、分岐点など）間の相関関係のみを表すものであってもよい。また、ＣＰＵ２４は、上記像から、多段プリズム１１の検出面１１ａ上における指先Ｆの位置を表す情報を取得する。この場合、同取得する位置情報は、例えば像に含まれている指先Ｆの第１関節部分や外縁部分などの位置及び角度としておくとよい。出力部２５は、この指紋入力装置と共に個人識別システムを構成するサーバコンピュータ３０に接続されており、上記像及び位置情報を表す各データをそれぞれ同コンピュータ３０に対して出力するものである。
【００２１】
サーバコンピュータ３０は、図３に示すように、受信画像記憶部３１、相対位置算出部３２、ＩＤ抽出部３３、参照用データ記憶部３４、画像生成部３５、照合部３６、及び判定部３７を備えている。受信画像記憶部３１は、上記指紋検出器２０の出力部２５から出力された像を表すデータを一時的に記憶するものである。相対位置算出部３２は、指紋検出器２０の出力部２５から出力された位置情報に基づいて、上記受信画像記憶部３１に記憶された像における指先Ｆの指紋を表す部分とシャドウマスク１２により遮断された部分との相対位置関係を算出するものである。ＩＤ抽出部３３は、上記受信画像記憶部３１に記憶された像から、シャドウマスク１２により遮断された部分のパターンを認識することによって、用いられた指紋入力カード１０に付与されたＩＤ番号を抽出するものである。参照用データ記憶部３４は、複数の個人情報としての指紋を表すデータを、それぞれ同各個人毎に予め決めたＩＤ番号と対応づけて記憶したものである。
【００２２】
画像生成部３５は、上記受信画像記憶部３１に記憶された像と照合するためのデータを生成するものである。このデータの生成は、上記参照用データ記憶部３４に記憶されているデータのうちから上記ＩＤ抽出部３３により抽出されたＩＤ番号に対応したデータを読み出して、同データの表す指紋の像に上記ＩＤ抽出部３３により認識されたパターンの平行線を上記相対位置算出部３２により算出された相対位置で重ねた像を表すデータを生成する。照合部３６は、上記受信画像記憶部３１に記憶された像と画像生成部３５により生成された像とを照合する。判定部３７は、上記照合部３６による照合結果に基づいて上記照合した両像の一致及び不一致を判定することにより、指紋入力カード１０を用いた個人を認証するか否かを判定するものである。
【００２３】
次に、上記のように構成した個人識別システムの動作を説明する。この個人識別システムを使用するに当たっては、予め、識別する各個人に対しそれぞれ固有のＩＤ番号を割り当てておき、同各個人に同割り当てた各固有のＩＤ番号に対応した指紋入力カード１０をそれぞれ携帯させておく。また、各個人の指紋を、上記各ＩＤ番号とそれぞれ対応づけてサーバコンピュータ３０の参照用データ記憶部３４に記憶させておく。
【００２４】
この個人識別システムが使用される場合、まず、上記各個人に携帯させた指紋入力カード１０が指紋検出器２０に装着される。この状態で多段プリズム１１の検出面１１ａ上に指先Ｆが密着されると、スイッチ１３がこれを検出し、同検出に応答して照明装置２１が多段プリズム１１内に参照光を照射する。参照光は、多段プリズム１１内にて乱反射し、全ての方向の成分を持つ光となる。このとき、ある方向の光は、検出面１１ａの指先Ｆと接触している位置、すなわち指先Ｆの指紋の隆線位置にて指先Ｆ側に吸収され、指先Ｆと離間している位置、すなわち指先Ｆの指紋の溝線位置にて全反射する。したがって、この検出面１１ａからの反射光によって指先Ｆの指紋を表す像が形成される。
【００２５】
上記検出面１１ａからの反射光は、多段プリズム１１の各傾斜面１１ｂを通過して、シャドウマスク１２によりその指紋入力カード１０に付与されたＩＤ番号を表すパターンで遮断された上で、レンズ２２により受像装置２３に結像される。これにより、受像装置２３は、図４に示すように、指先Ｆの指紋の像に上記パターンの平行線を重ねた像を読み取る。そして、この受像装置２３により読み取られた指紋及び平行線を含む像が、ＣＰＵ２４によってデータに変換されて、出力部２５によってサーバコンピュータ３０に対し出力される。また、このとき、多段プリズム１１の検出面１１ａ上における指先Ｆの位置を表す情報がＣＰＵ２４により上記像から取得されて、同位置情報を表すデータも出力部２５によってサーバコンピュータ３０に対し出力される。
【００２６】
サーバコンピュータ３０は、上記出力部２５による各データの出力時、まず、同出力された像を表すデータを受信画像記憶部３１に記憶する。このとき、相対位置算出部３２が、上記出力部２５から出力された位置情報に基づいて、上記受信画像記憶部３１に記憶された像における指先Ｆの指紋を表す部分とシャドウマスク１２により遮断された部分との相対位置関係を算出する。一方、ＩＤ抽出部３３は、上記受信画像記憶部３１に記憶された像から、シャドウマスク１２により遮断された部分のパターンを認識することによって、用いられた指紋入力カード１０に付与されたＩＤ番号を抽出する。そして、同抽出後、画像生成部３５が、参照用データ記憶部３４に記憶されているデータのうちから上記抽出されたＩＤ番号に対応したデータを読み出して、同データの表す指紋の像に上記ＩＤ抽出部３３により認識されたパターンの平行線を上記相対位置算出部３２により算出された相対位置で重ねた像を表すデータを生成する。
【００２７】
上記画像生成部３５によるデータの生成後、照合部３６が、上記受信画像記憶部３１に記憶された像と画像生成部３５により生成された像とを照合する。そして、判定部３７が、同照合部３６による照合結果に基づき上記照合した両像の一致及び不一致を判定して、指紋入力カード１０を用いた個人を認証するか否かを判定する。この判定結果は図示しないシステムに対して出力されて、例えば扉の開閉や端末の使用などの許可及び禁止制御などに用いられる。
【００２８】
上述のように、上記実施形態における指紋入力装置においては、多段プリズム１１の検出面１１ａからの反射光の一部がシャドウマスク１２により予め決めた固有のパターンで遮断された上で受像装置２３に到達するようになっていて、受像装置２３が読み取る像に指先Ｆの指紋と上記固有のパターンとが共に現れるようになっているため、個人の指紋及び個人毎の固有のデータとしてのＩＤ番号が同時に入力されるようになっており、使い勝手が良好である。また、板状の多段プリズム１１が採用されているため、構成を小型化することが可能である。
【００２９】
また、シャドウマスク１２が複数の貫通孔１２ａを設けた立体的な板状に形成されていて精度よく再現することが困難となっているため、同シャドウマスク１２の不正な複製が困難であり、セキュリティ性が高く保たれている。また、シャドウマスク１２の貫通孔１２ａが同シャドウマスク１２の厚み方向に対してそれぞれ傾斜して形成されており、同シャドウマスク１２の厚みの設定により受像装置２３に到達する光が多段プリズム１１の検出面１１ａからの反射光のみに制限されているため、多段プリズム１１から受像装置２３への光路を短く設定した上で受像装置２３の読み取り精度を確保することが可能であり、構成を小型化することが可能である。
【００３０】
また、多段プリズム１１及びシャドウマスク１２が一体的に指紋入力カード１０としてカード状に形成されているため、各個人がそれぞれ割り当てられたＩＤ番号に対応したシャドウマスク１２を携帯できるようになっており、指紋入力装置の使い勝手が良好となっている。
【００３１】
また、上記指紋入力装置を用いた個人識別システムにおいては、サーバコンピュータ３０の画像生成部３５が、参照用データ記憶部３４に記憶されているデータのうちから指紋入力装置の受像装置２３により読み取られた像に含まれていてシャドウマスク１２により遮断されたパターンに対応したデータを読み出して像を生成し、照合部３６が、上記受像装置２３により読み取られた像と画像生成部３５により生成された像とを照合する。したがって、参照用データ記憶部３４に記憶されているデータのうちから照合部３６により照合されるデータがシャドウマスク１２が遮断したパターンに基づき予め特定されることになるため、同照合に要する時間が短縮化される。さらに、この場合にも、指紋入力装置においては個人の指紋と前記パターンとが同時に入力されるため、この個人識別システムの使い勝手が高く保たれている。
【００３２】
ｂ．第２の実施形態
次に、本発明の第２の実施形態を図面を用いて説明する。同実施形態は、図５に示すように、前記第１の実施形態における指紋入力装置の指紋入力カード１０部分及び指紋検出器２０部分を共に一体的に携帯されるように構成したものである。
【００３３】
この指紋入力装置は、前記同様の多段プリズム１１、シャドウマスク１２、スイッチ１３、照明装置２１、ＣＰＵ２４、及び出力部２５を収容した直方体状（厚さ１ｍｍ〜２ｃｍ程度）のケーシング４０を備えている。前記第１の実施形態にて採用したレンズ２２は装置の小型化のために省略してあり、その分前記第１の実施形態にて採用した受像装置２３よりも受像面積の広い受像装置４１を採用するようにしている。
【００３４】
上記のように構成したこの第２の実施形態に係る指紋入力装置においても、各個人がそれぞれ割り当てられたＩＤ番号に対応したシャドウマスク１２を携帯できるため、指紋入力装置の使い勝手が良好となっている。
【００３５】
なお、上記各実施形態においては、指紋入力装置のＣＰＵ２４及びサーバコンピュータ３０の相対位置算出部３２が、受像装置２３により読み取られた像における指紋を表す部分とシャドウマスク１２により遮断された部分との相対位置関係を算出し、画像生成部３５が像を生成するとき同算出された相対位置関係を加味するようにして、指紋の像の上記平行線によって隠された部分が照合部３６による照合に影響することを回避するようにした。しかし、シャドウマスク１２の各貫通孔１２ａ間の間隔を一般的に指紋の隆線と溝線とを隠さない程度の間隔（例えば、５０μｍ）に設定しておき、指紋の像の同シャドウマスク１２により遮断される部分が照合に影響しないようにしておいた上で、上記ＣＰＵ２４及び相対位置算出部３２による相対位置の算出を省略するようにしてもよい。
【００３６】
また、上記各実施形態においては、受像装置２３により読み取られた像からの指先Ｆの位置情報の取得を指紋入力装置のＣＰＵ２４により実行するようにしたが、同位置情報の取得はサーバコンピュータ３０にて実行するようにしてもよい。この場合、指紋入力装置のＣＰＵ２４は、単に上記像をデータに変換する処理を実行するだけでよい。また、このデータの変換についても、ＣＰＵ２４においては単に像自体を表す画像データに変換するだけにしておいて、同画像データを、サーバコンピュータ３０にて指紋の特徴点を表すデータにさらに変換するようにしてもよい。
【００３７】
また、逆に、上記実施形態においては、受像装置２３により読み取られた像における指紋を表す部分とシャドウマスク１２により遮断された部分との相対位置関係の算出、及び上記像からのＩＤ番号の抽出をそれぞれサーバコンピュータ３０の相対位置算出部３２及びＩＤ抽出部３３にて実行するようにしたが、同相対位置関係の算出及びＩＤ番号の抽出も指紋入力装置のＣＰＵ２４にて実行するようにしてもよい。
【図面の簡単な説明】
【図１】本発明の第１の実施形態に係る指紋入力装置の概略図である。
【図２】図１の多段プリズム及びシャドウマスクの拡大縦断面図である。
【図３】前記指紋入力装置を用いた個人識別システムの全体ブロック図である。
【図４】図１，３の受像装置により読み取られる像の例を示す説明図である。
【図５】本発明の第２の実施形態に係る指紋入力装置の概略図である。
【符号の説明】
１０…指紋入力カード、１１…多段プリズム、１１ａ…検出面、１１ｂ…傾斜面、１２…シャドウマスク、１２ａ…貫通孔、２０…指紋検出器、２１…照明装置、２３…受像装置、３０…サーバコンピュータ、３３…ＩＤ抽出部、３４…参照用データ記憶部、３５…画像生成部、３６…照合部、Ｆ…指先。
【図１】
0003557364.tif 000002
【図２】
0003557364.tif 000003
【図３】
0003557364.tif 000004
【図４】
0003557364.tif 000005
【図５】
0003557364.tif 000006